(57)【要約】【課題】発光ダイオードからの放射光で明るく照明することができ、かつ配線作業が容易なＬＥＤモジュールおよびこのＬＥＤモジュールを用いたＬＥＤ照明器具を提供する。【解決手段】ＬＥＤモジュール２９は、基板１５と、基板１５に設けられた共通端子３ａおよび複数個の正極側端子３ｂ１〜３ｂ４を有する入力端子３と、基板１５に実装され、入力端子３の一の正極側端子３ｂ４および共通端子３ａに電気的に接続された発光ダイオード４と、基板１５に設けられ、入力端子３の一の正極側端子３ｂ４を除く正極側端子３ｂ１〜３ｂ３および共通端子３ａにそれぞれ電気的に接続され、別の基板１５に設けられた入力端子３の発光ダイオード４に接続されている正極側端子３ｂ４および共通端子３ａに接続できる複数個の送り端子５を具備している。【選択図】図７
2009054330.tif 000002
【特許請求の範囲】
【請求項１】
基板と；
この基板に設けられた共通端子および複数個の正極側端子を有してなり、外部の直流電源に接続される入力端子と；
前記基板に実装され、入力端子の一の正極側端子および共通端子に電気的に接続された発光ダイオードと；
入力端子の前記一の正極側端子を除く正極側端子に電気的に接続された正極側送り端子と、入力端子の共通端子に電気的に接続された共通送り端子とを有し、正極側送り端子および共通送り端子が別の基板に設けられた入力端子の発光ダイオードに接続されている正極側端子および共通端子にそれぞれ接続できるように前記基板に設けられた送り端子と；
を具備していることを特徴とするＬＥＤモジュール。
【請求項２】
基板は、多層基板からなり、この多層基板の表面に発光ダイオード、入力端子および送り端子が設けられ、多層基板の内部に入力端子および送り端子を電気的に接続する配線パターンが形成されていることを特徴とする請求項１記載のＬＥＤモジュール。
【請求項３】
入力端子は、正極側端子および共通端子がそれぞれ一端側および他端側となるように基板の一端側に配設された第１の接続部材に設けられ、送り端子は、正極側送り端子および共通送り端子がそれぞれ一端側および他端側となるように基板の他端側に配設された第２の接続部材に設けられていることを特徴とする請求項１または２記載のＬＥＤモジュール。
【請求項４】
送り端子は、正極側送り端子と同一形状の１個の補助端子を有し、この補助端子が別の基板の入力端子の正極側端子に接続可能に第２の接続部材に設けられていることを特徴とする請求項３記載のＬＥＤモジュール。
【請求項５】
第１および第２の接続部材は、それぞれコネクタであることを特徴とする請求項３または４記載のＬＥＤモジュール。
【請求項６】
請求項１ないし５いずれか一記載のＬＥＤモジュールと；
このＬＥＤモジュールを配設している器具本体と；
ＬＥＤモジュールの入力端子の共通端子および正極側端子に接続され、発光ダイオードに電流を供給する電源装置と；
を具備していることを特徴とするＬＥＤ照明器具。
【発明の詳細な説明】
【技術分野】
【０００１】
本発明は、発光ダイオードから照明光が放射されるＬＥＤモジュールおよびＬＥＤ照明器具に関する。
【背景技術】
【０００２】
発光ダイオード（ＬＥＤ）を用いた照明器具として、発光ダイオードを実装したプリント基板をライン上に配設する照明器具が提案されている。例えば、プリント基板の両端にそれぞれ配線用コネクタを設け、配線をコネクタに接続することにより、プリント基板を連結できるＬＥＤ照明用プリント基板が提案されている(特許文献１参照。)。この従来技術のＬＥＤ照明用プリント基板は、ＬＥＤ照明の長さに応じて、プリント基板が直線上に直列接続されるものである。
【特許文献１】特開２００７−１０３８８６号公報（第２頁、第１図）
【発明の開示】
【発明が解決しようとする課題】
【０００３】
特許文献１のＬＥＤ照明用プリント基板は、配線用コネクタを介して電流を隣のＬＥＤ照明用プリント基板に供給するものであり、連結された各プリント基板に電源装置から一出力の電流が供給されるものである。ここで、特許文献１には、電流の供給手段についての具体的な開示がないが、各プリント基板に配設されている発光ダイオードは、電源に対して、直列接続され、または並列接続される。
【０００４】
各プリント基板の発光ダイオードが電源に対して直列接続されると、発光ダイオードの数量に応じて電源装置から出力される出力電圧を大きくする必要がある。通常、感電防止やプリント基板の配線パターンなどの絶縁距離を確保する点から、電源装置から出力される出力電圧は制限される。これにより、発光ダイオードの数量が制限される。すなわち、特許文献１のＬＥＤ照明用プリント基板は、連結される数量が制限され、または、各プリント基板に配設される発光ダイオードの数量が制限される結果、明るく照明しにくいということが推測される。
【０００５】
また、各プリント基板の発光ダイオードが電源に対して並列接続されると、連結するＬＥＤ照明用プリント基板の数量に応じて電源装置から供給される電流量を大きくする必要がある。通常、電源装置の大型化やコストを抑制する点から、電源装置から供給する電流は制限される。これにより、連結するＬＥＤ照明用プリント基板の数量が制限されることにより、発光ダイオードの数量が制限されて、明るく照明しにくいということが推測される。
【０００６】
上述したように、特許文献１のＬＥＤ照明用プリント基板は、連結した場合であっても一出力の電源により発光ダイオードを点灯するものであるので、発光ダイオードの数量が制限され、発光ダイオードからの放射光により明るく照明しにくいという欠点を有する。
【０００７】
本発明は、発光ダイオードからの放射光で明るく照明することができ、かつ配線作業が容易なＬＥＤモジュールおよびこのＬＥＤモジュールを用いたＬＥＤ照明器具を提供することを目的とする。
【課題を解決するための手段】
【０００８】
請求項１に記載のＬＥＤモジュールの発明は、基板と；この基板に設けられた共通端子および複数個の正極側端子を有してなり、外部の直流電源に接続される入力端子と；前記基板に実装され、入力端子の一の正極側端子および共通端子に電気的に接続された発光ダイオードと；入力端子の前記一の正極側端子を除く正極側端子に電気的に接続された正極側送り端子と、入力端子の共通端子に電気的に接続された共通送り端子とを有し、正極側送り端子および共通送り端子が別の基板に設けられた入力端子の発光ダイオードに接続されている正極側端子および共通端子にそれぞれ接続できるように前記基板に設けられた送り端子と；を具備していることを特徴とする。
【０００９】
本発明および以下の各発明において、特に言及しない限り、各構成は以下による。
【００１０】
発光ダイオードは、入力端子の正極側端子および共通端子間において、１個または複数個のいずれが接続されてもよい。複数個の場合、直列接続、並列接続または直並列接続のいずれであってもよい。
【００１１】
そして、発光ダイオードは、アノード側が入力端子の正極側端子に接続され、カソード側が入力端子の共通端子に接続される。正極側端子には外部の直流電源から出力された直流電圧の正極側が印加され、共通端子には、直流電圧の負極側が印加される。
【００１２】
入力端子の各正極側端子および共通端子は、それぞれ他出力を有する一の直流電源に接続されてもよく、それぞれ個別の直流電源に接続されてもよい。
【００１３】
本発明によれば、最大、入力端子の正極側端子の数量の基板に対して、順次、送り端子を別の基板の入力端子に接続し、最前段の基板の入力端子を外部の直流電源に接続することにより、各基板の発光ダイオードは、前記直流電源からの給電によって点灯される。基板間の配線により、各基板の入力端子が外部の直流電源に接続されるので、各ＬＥＤモジュールと外部の直流電源との配線が簡素となる。
【００１４】
請求項２に記載のＬＥＤモジュールの発明は、請求項１記載のＬＥＤモジュールにおいて、基板は、多層基板からなり、この多層基板の表面に発光ダイオード、入力端子および送り端子が設けられ、多層基板の内部に入力端子および送り端子を電気的に接続する配線パターンが形成されていることを特徴とする。
【００１５】
本発明によれば、多層基板の表面に配線パターンを形成せずに発光ダイオード、入力端子および送り端子を設けるので、多層基板の表面が簡素化され、配線パターンが形成されない分、多層基板の表面積を小さくすることができる。
【００１６】
請求項３に記載のＬＥＤモジュールの発明は、請求項１または２記載のＬＥＤモジュールにおいて、入力端子は、正極側端子および共通端子がそれぞれ一端側および他端側となるように基板の一端側に配設された第１の接続部材に設けられ、送り端子は、正極側送り端子および共通送り端子がそれぞれ一端側および他端側となるように基板の他端側に配設された第２の接続部材に設けられていることを特徴とする。
【００１７】
第１および第２の接続部材は、例えば端子台、コネクタとすることができる。コネクタの場合、雄コネクタおよび雌コネクタ同士を接続すればよいので、配線作業が容易に行える。
【００１８】
本発明によれば、入力端子の正極側端子および共通端子がそれぞれ一端側および他端側となるように第１の接続部材に配設され、送り端子の正極側送り端子および共通送り端子がそれぞれ一端側および他端側となるように第２の接続部材に配設されることにより、入力端子および送り端子がそれぞれ整列され、基板の表面が簡素化される。そして、基板間の配線において第１および第２の接続部材の間が配線されるので、基板間の配線作業が容易に行える。
【００１９】
請求項４に記載のＬＥＤモジュールの発明は、請求項３記載のＬＥＤモジュールにおいて、送り端子は、正極側送り端子と同一形状の１個の補助端子を有し、この補助端子が別の基板の入力端子の正極側端子に接続可能に第２の接続部材に設けられていることを特徴とする。
【００２０】
補助端子は、自身の基板の入力端子と電気的に接続されないものである。
【００２１】
本発明によれば、送り端子の正極側送り端子および補助端子を別の基板の入力端子の正極側端子に対応させて接続することにより、各基板間の配線が容易に行える。
【００２２】
請求項５に記載のＬＥＤモジュールの発明は、請求項３または４記載のＬＥＤモジュールにおいて、第１および第２の接続部材は、それぞれコネクタであることを特徴とする。
【００２３】
本発明によれば、コネクタ付きの結束ケーブルで基板間の配線が容易にかつ迅速に行える。
【００２４】
請求項６に記載のＬＥＤ照明器具の発明は、請求項１ないし５いずれか一記載のＬＥＤモジュールと；このＬＥＤモジュールを配設している器具本体と；ＬＥＤモジュールの入力端子の共通端子および正極側端子に接続され、発光ダイオードに電流を供給する電源装置と；を具備していることを特徴とする。
【００２５】
本発明によれば、請求項１ないし５いずれか一記載のＬＥＤモジュールを具備するＬＥＤ照明器具が提供される。
【発明の効果】
【００２６】
請求項１の発明によれば、基板の送り端子を別の基板の入力端子に接続し、最前段の基板の入力端子を外部の直流電源に接続することにより、各基板の入力端子が外部の直流電源に接続されるので、ＬＥＤモジュール間の配線作業が容易に行える結果、省力化を図ることができてＬＥＤモジュールを低コスト化することができるとともに、最大、入力端子の正極側端子の数量の基板を接続できるので、発光ダイオードが多数個となって、発光ダイオードからの放射光によって明るく照明することができる。
【００２７】
請求項２の発明によれば、多層基板の表面に発光ダイオード、入力端子および送り端子が設けられ、多層基板の内部に入力端子および送り端子を電気的に接続する配線パターンが形成されているので、多層基板の表面を簡素にすることができるとともに、基板間の配線に対する電気絶縁性を向上させることができる。
【００２８】
請求項３の発明によれば、入力端子の正極側端子および共通端子がそれぞれ一端側および他端側となるように基板の一端側に配設された第１の接続部材に設けられ、送り端子の正極側送り端子および共通送り端子がそれぞれ一端側および他端側となるように基板の他端側に配設された第２の接続部材に設けられているので、基板の表面が簡素となり、さらに基板間の配線を第１の接続部材および第２の接続部材の間で行う結果、配線作業を容易に迅速に行うことができる。
【００２９】
請求項４の発明によれば、１個の補助端子により送り端子および入力端子が同数となって対応させることができるので、各基板間の配線において対応する送り端子および入力端子同士を接続すればよく、この結果、配線作業を容易にかつ迅速に行うことができる。
【００３０】
請求項５の発明によれば、第１および第２の接続部材は、それぞれコネクタであるので、コネクタ付きの結束ケーブルで基板間の配線をさらに容易にかつ迅速に行うことができる。
【００３１】
請求項６の発明によれば、基板に多数個の発光ダイオードを実装可能であって低コスト化されるＬＥＤモジュールを具備するので、明るく照明することができる安価なＬＥＤ照明器具を提供することができる。
【発明を実施するための最良の形態】
【００３２】
以下、本発明の一実施の形態について、図面を参照して説明する。まず、本発明の第１の実施形態について説明する。
【００３３】
図１は、本発明の第１の実施形態を示すＬＥＤモジュールの概略構成図、図２は、同じく複数個のＬＥＤモジュールの配線図である。
【００３４】
図１において、ＬＥＤモジュール１は、基板２の一面２ａにそれぞれ設けられた入力端子３、発光ダイオード４および送り端子５を有して構成されている。
【００３５】
基板２は、例えばガラスエポキシ材または紙フェノール材などからなり、例えば長方形状に形成されている。入力端子３は、共通端子３ａおよび複数個の正極側端子３ｂ１〜３ｂ４からなっている。正極側端子３ｂ１〜３ｂ４は、それぞれ共通端子３ａと対を成して外部の直流電源（図示しない。）に接続される。正極側端子３ｂ１〜３ｂ４は、直流電源から出力された直流電圧の正極側が印加され、共通端子３ａには、直流電圧の負極側が印加される。
【００３６】
そして、入力端子３は、基板２の一端側２Ａに配設された第１の接続部材としての雄コネクタ６に直線状に設けられている。すなわち、入力端子３は、雄コネクタ６の接続ピンとして立設され、雄コネクタ６の一端側６Ａに正極側端子３ｂ１〜３ｂ４、他端側６Ｂに共通端子３ａが配設されている。正極側端子３ｂ１〜３ｂ４は、雄コネクタ６の一端側６Ａにから他端側６Ｂの方向に、正極側端子３ｂ４、正極側端子３ｂ３、正極側端子３ｂ２および正極側端子３ｂ１の順に配設されている。
【００３７】
発光ダイオード４は、面実装形であり、例えば可視光を放射するように形成されている。そして、発光ダイオード４は、基板２の一面(表面)２ａに多数個が実装され、基板２に形成された配線パターン(銅箔パターン)７により直列接続されている。直列接続された発光ダイオード４のアノード側は、配線パターン７を介して入力端子３の一の正極側端子としての正極側端子３ｂ４に接続している。また、同じくカソード側は、配線パターン７および基板２に形成され入力端子３の共通端子３ａに接続している配線パターン８を介して共通端子３ａに接続している。すなわち、発光ダイオード４は、入力端子３の正極側端子３ｂ４および共通端子３ａに電気的に接続されている。
【００３８】
外部の直流電源から入力端子３の正極側端子３ｂ４および共通端子３ａに電力が供給されると、発光ダイオード４に電流が流れて、発光ダイオード４が点灯する。発光ダイオード４は、可視光を放射する。
【００３９】
発光ダイオード４のアノード側が接続される入力端子３の一の正極側端子は、複数個の正極側端子３ｂ１〜３ｂ４のいずれであってもよいが、送り端子５との電気的接続の容易性や基板２の表面２ａの簡素化などの点から、雄コネクタ６に直線状に配設された両端側である正極側端子３ｂ１または正極側端子３ｂ４であることが望ましい。
【００４０】
送り端子５は、共通送り端子５ａおよび複数個の正極側送り端子５ｂ１〜５ｂ３からなっている。そして、共通送り端子５ａは、基板２に形成された配線パターン８により入力端子３の共通端子３ａに電気的に接続されている。また、正極側送り端子５ｂ１，５ｂ２，５ｂ３は、基板２に形成された配線パターン９，１０，１１により、それぞれ入力端子３の正極側端子３ｂ１，３ｂ２，３ｂ３に電気的に接続されている。送り端子５は、入力端子３の一の正極側端子としての正極側端子３ｂ４には接続されないものである。
【００４１】
そして、送り端子５は、基板２の他端側２Ｂに配設された第２の接続部材としての雄コネクタ１２に直線状に設けられている。すなわち、送り端子５は、雄コネクタ１２の接続ピンとして立設され、雄コネクタ１２の一端側１２Ａに正極側送り端子５ｂ１〜５ｂ３、他端側１２Ｂに共通端子５ａが配設されている。正極側送り端子５ｂ１〜５ｂ３は、雄コネクタ１２の一端側１２Ａにから他端側１２Ｂの方向に、正極側送り端子５ｂ３、正極側送り端子５ｂ２および正極側送り端子５ｂ１の順に配設されている。
【００４２】
図２において、送り端子５は、図示しない雌コネクタを用いて、別の（隣の）ＬＥＤモジュール１の入力端子３に電気的に接続されている。すなわち、共通送り端子５ａは、別の基板２に設けられた入力端子３の共通端子３ａに接続され、正極側送り端子５ｂ１は、入力端子３の正極側端子３ｂ２に接続され、正極側送り端子５ｂ２は、正極側端子３ｂ３に接続され、正極側送り端子５ｂ３は、正極側端子３ｂ４に接続されている。以下、同様に、送り端子５が別の（隣の）ＬＥＤモジュール１の入力端子３に電気的に接続される。こうして、最大、入力端子３の正極側端子３ｂ１〜３ｂ４と同数である４個の各ＬＥＤモジュール１（基板２）間が配線される。
【００４３】
そして、最前段のＬＥＤモジュール１（基板２）の入力端子３は、多チャンネル電源装置１３に電気的に接続されている。すなわち、正極側端子３ｂ１および共通端子３ａは、外部の直流電源としての直流電源部１３ａに接続され、正極側端子３ｂ２および共通端子３ａは、直流電源部１３ｂに接続され、正極側端子３ｂ３および共通端子３ａは、直流電源部１３ｃに接続され、正極側端子３ｂ４および共通端子３ａは、直流電源部１３ｄに接続されている。これにより、最前段のＬＥＤモジュール１の発光ダイオード４は、直流電源部１３ｄから給電されて点灯し、２番目のＬＥＤモジュール１の発光ダイオード４は、直流電源部１３ｃから給電されて点灯し、３番目のＬＥＤモジュール１の発光ダイオード４は、直流電源部１３ｂから給電されて点灯し、最後段のＬＥＤモジュール１の発光ダイオード４は、直流電源部１３ａから給電されて点灯する。
【００４４】
このように、送り端子５を別の（隣の）基板２の入力端子３に接続し、最前段の基板２の入力端子３を多チャンネル電源装置１３の各直流電源部１３ａ〜１３ｄに接続することにより、各基板２の入力端子３がそれぞれ直流電源部１３ａ，１３ｂ，１３ｃ，１３ｄに接続されるので、ＬＥＤモジュール１間の配線作業を容易にかつ迅速に行うことができる。また、入力端子３は、正極側端子３ｂ１〜３ｂ４および共通端子３ａがそれぞれ一端側６Ａおよび他端側６Ｂとなるように第１の接続部材としての雄コネクタ６に設けられ、送り端子５は、正極側送り端子５ｂ１〜５ｂ３および共通送り端子５ａがそれぞれ一端側１２Ａおよび他端側１２Ｂとなるように第２の接続部材としての雄コネクタ１２に設けられているので、基板２の表面２ａが簡素となり、さらに基板２間の配線が雄コネクタ６および雄コネクタ１２の間で行われる結果、基板２間の配線作業を容易に迅速に行うことができる。これらにより、ＬＥＤモジュール１間の配線に対する省力化を図ることができてＬＥＤモジュール１を低コスト化することができる。
【００４５】
なお、ＬＥＤモジュール１において、基板２は長方形状に形成しているが、正方形、円形や楕円形など、所望の形状に形成すればよいものである。
【００４６】
次に、本発明の第２の実施形態について説明する。
【００４７】
図３は、本発明の第２の実施形態を示すＬＥＤモジュールを示し、（ａ）は概略構成図、（ｂ）は概略接合面図、図４は、同じく複数個のＬＥＤモジュールの接続図、図５は、同じく複数個のＬＥＤモジュールの配線図である。なお、図１および図２と同一部分には、同一符号を付して説明は省略する。
【００４８】
図３に示すＬＥＤモジュール１４は、図１に示すＬＥＤモジュール１において、基板２に代えて多層基板１５を用いたものである。そして、多層基板１５の表面１５ａに発光ダイオード４、入力端子３を配設している第１の接続部材としての雄コネクタ６および送り端子５を配設している第２の接続部材としての雄コネクタ１２を設けている。そして、多層基板１５の上板１６の背面（接合面）１６ａに、入力端子３の正極側端子３ｂ１，３ｂ２，３ｂ３と送り端子５の正極側送り端子５ｂ１，５ｂ２，５ｂ３とをそれぞれ電気的に接続する配線パターン１７，１８，１９が形成されている。すなわち、多層基板１５の内部に配線パターン１７，１８，１９が形成されている。
【００４９】
ＬＥＤモジュール１４は、多層基板１５の表面１５ａに図１に示す配線パターン９，１０，１１を形成しないので、多層基板１５の表面１５ａが簡素化されるとともに、多層基板１５の表面積を小さくすることができて小形化することができる。また、多層基板１５の内部に配線パターン１７，１８，１９が形成されているので、多層基板１５間の配線に対する電気絶縁性が向上する結果、多層基板１５間の配線作業を容易にかつ迅速に行うことができる。
【００５０】
そして、ＬＥＤモジュール１４は、図４に示すように、多チャンネル電源装置１３に対して直列接続することができる。すなわち、最前段のＬＥＤモジュール１４は、入力端子３を配設している雄コネクタ６に電源ケーブル２０の雌コネクタ２１が接続されることにより、多チャンネル電源装置１３に接続されている。そして、送り端子５を配設している雄コネクタ１２には、結束ケーブル２２の雌コネクタ２３が接続されている。結束ケーブル２２の雌コネクタ２１は、２番目のＬＥＤモジュール１４の雄コネクタ６に接続されている。
【００５１】
そして、２番目および３番目のＬＥＤモジュール１４，１４の間は、雌コネクタ２３および雌コネクタ２１を有する結束ケーブル２４により電気的に接続され、３番目および最後段のＬＥＤモジュール１４，１４の間は、雌コネクタ２３および雌コネクタ２１を有する結束ケーブル２５により電気的に接続されている。ここで、電源ケーブル２０および結束ケーブル２２，２４，２５は、図５に示すように、各ＬＥＤモジュール１４の入力端子３が多チャンネル電源装置１３の各直流電源部１３ａ〜１３ｄにそれぞれ接続されるように、所定数のリード線２６を雌コネクタ２１，２３に接続して形成されている。
【００５２】
各ＬＥＤモジュール１４と多チャンネル電源装置１３との配線は、電源ケーブル２０の雌コネクタ２１および結束ケーブル２２，２４，２５のそれぞれの雌コネクタ２１，２３を各多層基板１５の雄コネクタ６および雄コネクタ１２に接続すればよいので、ＬＥＤモジュール１４（多層基板１５）間の配線作業を容易にかつ迅速に行うことができる。
【００５３】
次に、本発明の第３の実施形態について説明する。
【００５４】
図６ないし図９は、本発明の第３の実施形態を示し、図６はＬＥＤモジュールの概略構成図、図７は他のＬＥＤモジュールを示し、（ａ）は概略構成図、（ｂ）は概略接合面図、図８は複数個のＬＥＤモジュールの接続図、図９は複数個のＬＥＤモジュールの配線図である。なお、図１ないし図３と同一部分には、同一符号を付して説明は省略する。
【００５５】
図６に示すＬＥＤモジュール２７は、図１に示すＬＥＤモジュール１において、送り端子５に正極側送り端子５ｂ１〜５ｂ３と同一形状の１個の補助端子（ダミー端子）２８が設けられたものである。補助端子２８は、入力端子３と電気的に接続されないものであり、第２の接続部材としての雄コネクタ１２に設けられている。そして、正極側送り端子５ｂ１〜５ｂ３、共通送り端子５ａおよび補助端子２８の隣り合う間隔が第１の接続部材としての雄コネクタ６に設けられた入力端子３の正極側端子３ｂ１〜３ｂ４および共通端子３ａの隣り合う間隔と同一となるようにしている。すなわち、雄コネクタ６および雄コネクタ１２は、同一の雌コネクタを接続可能となっている。
【００５６】
また、図７に示すＬＥＤモジュール２９は、図３に示すＬＥＤモジュール１４において、送り端子５に正極側送り端子５ｂ１〜５ｂ３と同一形状の１個の補助端子（ダミー端子）２８が設けられたものである。以下、上述のＬＥＤモジュール２７において説明したように形成されている。
【００５７】
そして、ＬＥＤモジュール２９（または、ＬＥＤモジュール２７）は、図８に示すように、多チャンネル電源装置１３に対して直列接続することができる。すなわち、最前段のＬＥＤモジュール２９は、入力端子３を配設している雄コネクタ６に電源ケーブル２０の雌コネクタ２１が接続されることにより、多チャンネル電源装置１３に接続されている。そして、各ＬＥＤモジュール２９間の配線は、複数個の結束ケーブル３０を用いて行える。すなわち、両端に雌コネクタ２１，２１を有する結束ケーブル３０の雌コネクタ２１，２１をそれぞれ雄コネクタ６および雄コネクタ１２に接続することにより行える。これにより、図９に示すように、各ＬＥＤモジュール２９の入力端子３が多チャンネル電源装置１３の各直流電源部１３ａ〜１３ｄにそれぞれ接続される。
【００５８】
このように、送り端子５に補助端子２８を設けることにより、ＬＥＤモジュール２９，２９間の配線が両端に雌コネクタ２１，２１を有する同一の結束ケーブル３０を用いて行える。したがって、例えば図４において説明したように、接続する結束ケーブル２２，２４，２５を選択することを要しないので、ＬＥＤモジュール２９，２９間の配線作業をより容易にかつ迅速に行うことができる。
【００５９】
次に、本発明の第４の実施形態について説明する。
【００６０】
図１０は、本発明の第４の実施形態を示すＬＥＤ照明器具であり、（ａ）は一部切り欠き概略側面図、（ｂ）は概略下面図である。なお、図７と同一部分には、同一符号を付して説明は省略する。
【００６１】
図１０に示すＬＥＤ照明器具３１は、天井などの造営物に埋設される埋め込み形照明器具であり、灯体３２、器具本体３３および電源装置としての多チャンネル電源装置１３を有して形成されている。
【００６２】
灯体３２は、例えばアルミニウム（Ａｌ）からなり、図１０（ａ）に示すように、それぞれ略円筒状の上灯体部３４および下灯体部３５に形成されている。上灯体部３４および下灯体部３５は、図示しないねじにより一体化されている。そして、下灯体部３５は、下面３５ａに複数個のＬＥＤモジュール２９を張り合わせにより設けている。
【００６３】
下灯体部３５の下面３５ａには、図１０（ｂ）に示すように、挿通孔３６が形成されており、この挿通孔３６から多チャンネル電源装置１３に接続された電源ケーブル２０が導出されている。そして、ＬＥＤモジュール２９は、４個が２列に配置されている。
【００６４】
上灯体部３４は、図１０（ａ）に示すように、側面３４ａに外周に亘って溝３７が形成されている。また、上面３４ｂに支持部材３８をねじ３９，３９により固定している。
【００６５】
器具本体３３は、例えば鋼板からなり、上端３３ａに灯体３２の上灯体部３４の上面３４ｂよりも大きな開口４０を有し、下端３３ｂに外方に延在する鍔部４１を有する略円筒状に形成されている。そして、鍔部４１に、板状の取付ばね４２，４２が固定されている。取付ばね４２，４２および鍔部４１の間に天井などの造営物が挟み込まれて挟持されることにより、器具本体３３が造営物に固定される。
【００６６】
器具本体３３の上端３３ａには、上端面と略同一面状となるように内方に突出する複数の突出片４３が設けられている。突出片４３は、上端３３ａから延在して形成され、上端３３ａの周回に等間隔となるように３個が設けられている。
【００６７】
灯体３２に固定されている支持部材３８は、略板状のアルミニウム（Ａｌ）からなり、略円状の中空部４４を有し、その外形が器具本体３３の開口４０と相似する円状であって開口４０よりも幾分小さく形成されている。そして、支持部材３８の上面には、複数の爪部４５が設けられている。爪部４５は、灯体３２の周回方向となるように、支持部材３８の上面が切り起こされて形成され、灯体３２の上面３４ｂの周回に等間隔となるように３個が設けられている。爪部４５は、先端部が弾性を有して、器具本体３３の突出片４３に対応するように設けられている。
【００６８】
灯体３２が回動されると、爪部４５の先端部が突出片４３を乗り越える。これにより、器具本体３３の突出片４３は、支持部材３８の上面と爪部４５の間に挟まれる。そして、爪部４５は、突出片４３に係止する。これにより、支持部材３８を固定している灯体３２が器具本体３３に収容されるように器具本体３３の上端３３ａ側に取り付けられる。
【００６９】
そして、灯体３２が器具本体３３に取り付けられた後、有底の円筒体からなる透光性のカバー４６が器具本体３３の下端３３ｂ側の内面に嵌め込まれている。
【００７０】
ＬＥＤ照明器具３１は、灯体３２の下灯体部３５の下面３５ａに複数個のＬＥＤモジュール２９を張り合わせることにより、多数個の発光ダイオード４を配設することができる。そして、各ＬＥＤモジュール２９は、多チャンネル電源装置１３の各直流電源部１３ａ〜１３ｄからそれぞれ給電されるので、各ＬＥＤモジュール２９の発光ダイオード４からの放射光により、明るく照明することができる。そして、低コスト化されるＬＥＤモジュール２９を具備するので、安価に形成することができる。
【００７１】
次に、本発明の第５の実施形態について説明する。
【００７２】
図１１は、本発明の第５の実施形態を示すＬＥＤ照明器具であり、（ａ）は一部切り欠き概略側面図、（ｂ）は概略下面図、図１２は、同じくＬＥＤ照明器具の配設図である。なお、図７、図８および図１０と同一部分には、同一符号を付して説明は省略する。
【００７３】
図１１に示すＬＥＤ照明器具４７は、図１０に示すＬＥＤ照明器具３１において、下灯体部３５の下面３５ａに１個のＬＥＤモジュール２９が設けられたものである。下面３５ａに形成された挿通孔３６には、それぞれ電源ケーブル２０（または結束ケーブル３０）および結束ケーブル３０が導入されている。
【００７４】
ＬＥＤ照明器具４７は、図１２に示すように、４個が天井４８に配設されている。そして、最前段のＬＥＤ照明器具４７が電源ケーブル２０により多チャンネル電源装置１３に接続され、各ＬＥＤ照明器具４７間が結束ケーブル３０により接続されている。
【００７５】
各ＬＥＤ照明器具４７のＬＥＤモジュール２９は、多チャンネル電源装置１３の各直流電源部１３ａ〜１３ｄからそれぞれ給電されるので、各ＬＥＤ照明器具４７からそれぞれ出射される発光ダイオード４からの放射光により、照明領域を明るく照明することができる。
【図面の簡単な説明】
【００７６】
【図１】本発明の第１の実施形態を示すＬＥＤモジュールの概略構成図。
【図２】同じく、複数個のＬＥＤモジュールの配線図。
【図３】本発明の第２の実施形態を示すＬＥＤモジュールを示し、（ａ）は概略構成図、（ｂ）は概略接合面図。
【図４】同じく、複数個のＬＥＤモジュールの接続図。
【図５】同じく、複数個のＬＥＤモジュールの配線図。
【図６】本発明の第３の実施形態を示すＬＥＤモジュールの概略構成図。
【図７】同じく、他のＬＥＤモジュールを示し、（ａ）は概略構成図、（ｂ）は概略接合面図。
【図８】同じく、複数個のＬＥＤモジュールの接続図。
【図９】同じく、複数個のＬＥＤモジュールの配線図。
【図１０】本発明の第４の実施形態を示すＬＥＤ照明器具であり、（ａ）は一部切り欠き概略側面図、（ｂ）は概略下面図。
【図１１】本発明の第５の実施形態を示すＬＥＤ照明器具であり、（ａ）は一部切り欠き概略側面図、（ｂ）は概略下面図。
【図１２】同じく、ＬＥＤ照明器具の配設図。
【符号の説明】
【００７７】
１，１４，２７，２９…ＬＥＤモジュール
２、１５…基板
３…入力端子
３ａ…共通端子
３ｂ１〜３ｂ４…正極側端子
４…発光ダイオード
５…送り端子
５ａ…共通送り端子
５ｂ１〜５ｂ３…正極側送り端子
６…第１の接続部材としての雄コネクタ
１２…第２の接続部材としての雄コネクタ
１３…電源装置としての多チャンネル電源装置
１３ａ〜１３ｄ…外部の直流電源としての直流電源部
２８…送り端子を構成する補助端子
３１，４７…ＬＥＤ照明器具
３３…器具本体
【図１】
2009054330.tif 000003
【図２】
2009054330.tif 000004
【図３】
2009054330.tif 000005
【図４】
2009054330.tif 000006
【図５】
2009054330.tif 000007
【図６】
2009054330.tif 000008
【図７】
2009054330.tif 000009
【図８】
2009054330.tif 000010
【図９】
2009054330.tif 000011
【図１０】
2009054330.tif 000012
【図１１】
2009054330.tif 000013
【図１２】
2009054330.tif 000014